(57)【要約】  歯科補綴物を製造するための方法は、−歯科補綴物（１１）の層状化数値表現を規定するオペレーションと、数値表現の第１の層について、光感受性液体物質（６）の対応する層を調製するオペレーションと、液体物質（６）の層を選択的に固化するオペレーションであって、それにより、数値表現の第１の層の幾何学的形状に対応する幾何学的形状を有する第１のシート（７）を得る、選択的に固化するオペレーションと、液体物質（６）の層を調製し、数値表現のそれぞれの後続の層について液体物質（６）の層を選択的に固化して、対応するシート（７）を得るオペレーションを繰返すオペレーションと、前記シート（７）の間に相互付着をもたらすオペレーションと、液体物質（６）の１つ又は複数の光学特性を修正するためにシート（７）のうちの１つのシートを固化した後でかつ後続のシート（７）を固化する前に、液体物質（６）の組成を修正するオペレーションを含む。【選択図】図１
2019528805.tif 000002
【特許請求の範囲】
【請求項１】
歯科補綴物を製造するための方法において、
−歯科補綴物（１１）の層状化数値表現を規定するオペレーションと、
−前記数値表現の第１の層について、光感受性液体物質（６）の対応する層を調製するオペレーションと、
−液体物質（６）の前記層を選択的に固化するオペレーションであって、それにより、前記数値表現の前記第１の層の幾何学的形状に対応する幾何学的形状を有する第１のシート（７）を得る、選択的に固化するオペレーションと、
−液体物質（６）の層を調製し、前記数値表現のそれぞれの後続の層について液体物質（６）の前記層を選択的に固化して、対応するシート（７）を得るオペレーションを繰返すオペレーションと、
−前記シート（７）の間に相互付着をもたらすオペレーションとを含む、方法であって、
前記液体物質（６）の１つ又は複数の光学特性を修正するため、前記シート（７）のうちの１つのシートを固化した後でかつ後続のシート（７）を固化する前に、前記液体物質（６）の組成を修正する更なるオペレーションを含むことを特徴とする、方法。
【請求項２】
前記光学特性は、色、透明度、及び反射率を含む１つ又は複数の特性を含むことを特徴とする、請求項１に記載の方法。
【請求項３】
前記液体物質（６）は、予め規定された光放射に暴露されると重合するのに適する第１の光感受性材料（８）を含むことを特徴とする、請求項１又は２に記載の方法。
【請求項４】
前記液体物質（６）の組成を修正することを意図される前記オペレーションは、前記液体物質（６）に１つ又は複数の調整剤材料（９）を添加するオペレーションを含み、前記調整剤材料（９）は、前記第１の光感受性材料（８）の光学特性と異なる光学特性を有することを特徴とする、請求項３に記載の方法。
【請求項５】
前記調整剤材料（９）は染料（dye）を含むことを特徴とする、請求項４に記載の方法。
【請求項６】
前記調整剤材料（９）は、前記予め規定された光放射への暴露後に重合するのに適し、前記第１の光感受性材料（８）の色と異なる色を有する第２の光感受性材料を含むことを特徴とする、請求項４又は５に記載の方法。
【請求項７】
前記調整剤材料（９）は、少なくとも部分的に透明な材料、例えばガラスを含むことを特徴とする、請求項４から５のいずれか１項に記載の方法。
【請求項８】
前記調整剤材料（９）を前記液体物質（６）と混合するオペレーションを含むことを特徴とする、請求項４から７のいずれか１項に記載の方法。
【請求項９】
前記数値表現のそれぞれの層について、前記層の前記１つ又は複数の光学特性を表す対応する数値を規定する更なるオペレーションを含むこと、及び、前記液体物質（６）を修正する前記オペレーションは、それぞれの層についての前記液体物質（６）の光学特性が前記層に対応する前記数値に対応するように実施されることを特徴とする、請求項１から８のいずれか１項に記載の方法。
【請求項１０】
基準歯の表面上で前記１つ又は複数の光学特性を測定するオペレーションを含むこと、及び、前記数値は、前記測定された光学特性を近似するように規定されることを特徴とする、請求項９に記載の方法。
【請求項１１】
前記液体物質（６）の組成を修正する前記オペレーションは、複数の前記シート（７）のそれぞれのシート（７）を固化した後に繰返されることを特徴とする、請求項１から１０のいずれか１項に記載の方法。
【請求項１２】
前記シート（７）のそれぞれは、直前のシート（７）と、又はそうでなければ、支持表面（１０）と接触状態で固化されることを特徴とする、請求項１から１１のいずれか１項に記載の方法。
【請求項１３】
それぞれのシート（７）を固化するオペレーションに先行して、前記液体物質（６）の表面から固化されるシート（７）の厚さに等しい距離に、前記固化された最後のシート（７）、又はそうでなければ、前記支持表面（１０）を設置するための、固化された最後のシート（７）、又はそうでなければ、前記支持表面（１０）を移動させるオペレーションがあることを特徴とする、請求項１２に記載の方法。
【請求項１４】
液体物質（６）のそれぞれの層を調製するそれぞれのオペレーションが、対応するシート（７）の厚さより高い充填レベルに達するように、前記第１の光感受性材料（８）をコンテナ（２）に充填するオペレーションを含むことを特徴とする、請求項４に記載の方法。
【請求項１５】
歯科補綴物を生産するためのシステムであって、
−歯の１つ又は複数の光学特性を検出するための光学デバイスであって、前記光学特性は色、透明度、及び反射率を含む、光学デバイスと、
−コンピュータであって、前記光学デバイスによって検出されたデータを受信し、前記検出されたデータを歯科補綴物（１１）の層状化数値表現と結合させて、前記１つ又は複数の光学特性のそれぞれの代表的な値をそれぞれの層にリンクさせる、コンピュータと、
−ステレオリソグラフィ機械（１）であって、前記ステレオリソグラフィ機械（１）は、前記コンピュータによって制御され、
・コンテナ（２）と、
・前記コンテナ（２）と連通状態にある第１のタンク（３）であって、前記第１のタンク（３）内に、予め規定された光放射に暴露されると重合するのに適する第１の光感受性材料（８）が設置される、第１のタンク（３）と、
・前記コンテナ（２）と連通状態にある１つ又は複数の第２のタンク（４）であって、前記１つ又は複数の第２のタンク（４）のそれぞれの第２のタンク内に、前記第１の光感受性材料（８）の光学特性と異なる光学特性を有する対応する調整剤材料（９）が設置される、１つ又は複数の第２のタンク（４）と、
・前記第１の光感受性材料（８）及び／又は前記調整剤材料（９）の１つ又は複数の、前記コンテナ（２）に向かう選択的かつ制御式の流出をもたらす供給デバイスと、
・前記第１の光感受性材料（８）が前記コンテナ（２）内に設置されると、前記第１の光感受性材料（８）の選択的固化をもたらす照射デバイス（５）とを備える、ステレオリソグラフィ機械（１）とを備え、
前記コンピュータは、前記数値表現の前記層の任意の層についての前記光学特性値に従って前記供給デバイスを制御するように構成されることを特徴とする、システム。
【請求項１６】
前記コンテナ（２）、前記第１のタンク（３）、及び前記１つ又は複数の第２のタンク（４）は、単一本体で構築されて、カートリッジを作成し、前記カートリッジは、前記ステレオリソグラフィ機械（１）に関連するハウジングに対して取外し可能接続要素を備えることを特徴とする、請求項１５に記載のシステム。
【発明の詳細な説明】
【技術分野】
【０００１】
本発明は、インプラントと結合されるインプラントクラウンを作成するのに特に適する歯科補綴物を作成するための方法に関する。
【０００２】
本発明は、同様に、上記方法を適用するためのシステムに関する。
【背景技術】
【０００３】
知られている技法によれば、歯科補綴物、またより具体的には、インプラントクラウンは、金属、セラミック、樹脂、二酸化ジルコニウム、又は他の適した材料のブロックを細工する機械によって生産されて、元の歯の形状を再現する。この形状が得られると、クラウンは、セラミック材料の１つ又は複数の層で覆われて、自然の歯と審美的に同様である生成物を得る。
【０００４】
知られている上述した技法は、こうして得られる歯科補綴物が自然の歯と比較して審美的差異を有するという欠点を呈する。実際には、自然の歯は、不均一な光学特性を有し、特に、歯の上部（切縁領域）から歯の頸部（歯頸領域）まで光学特性が変化する。一般に、これは、歯が、頸部の近くに比べて上部の近くにおいて明るく見えることを意味する。この特徴は、歯の層状構造の結果であり、歯の層状構造は、歯の異なる部位において、同様に光の入射方向に応じて、異なるモードの光の反射、屈折、及び吸収をもたらす。
【０００５】
上記で述べた、知られている技法では、それぞれの患者の天然歯と審美的に同様の補綴物を得るため、或る範囲の異なる色の材料から開始材料を選択することが可能であるが、得ることができる補綴物は、いずれの場合も単色である、すなわち、天然歯に特徴的である光学的変化がない。
【０００６】
上述した、知られている技法の更なる欠点は、その技法が、幾つかの加工段階を必要とし、生産時間の増加を結果として伴うことである。
【０００７】
更に、複数の処理ステップの存在は、エラーの可能性を増し、その結果、処理廃棄物を増加させるという更なる欠点につながり、補綴物の平均コストに悪い影響を及ぼす。
【０００８】
上述した、知られている技法は、かなりの材料の廃棄物をもたらすという更なる欠点を呈し、それぞれの補綴物の生産コストの増加をもたらす。
【０００９】
前記知られている技法の更なる欠点は、補綴物を機械加工するために必要とされるツールが摩耗を免れず、したがって、機械加工精度が漸進的に低下することである。或る使用期間後に、これらのツールは、交換されなければならず、その結果として生じるコストを伴う。
【００１０】
上記で述べた欠点に少なくとも部分的に対処しようと試みて、上記の知られている技法の変法に、開始材料として異なる色の複数の層からなるブロックの使用すること等がある。
【００１１】
この変法は、上記で述べた技法に関して補綴物の審美的品質を改善する。しかし、その変法は、制限された数のシェード及びそのグラデーションを提供するという欠点を呈し、したがって、その変法は、天然歯の色の無限の多様性が再現されることを可能にしない。
【００１２】
本明細書の出願人の名によるイタリア国特許出願第ＶＩ２０１０Ａ３５３号明細書に記載される歯科補綴物を生産するための更なる知られている技法は、従来の場合における材料除去プロセスではなく、付加的プロセス、またより具体的には、ステレオリソグラフィプロセスの使用を可能にする。
【００１３】
知られている技法及び上述したその変法と比較して、この第２の知られている技法は、摩耗を受けるツールの使用を必要としないという利点を有し、材料の廃棄をもたらさない。しかし、この技法は、同様に、単色補綴物を提供するという欠点を有する。
【００１４】
患者の天然歯とより審美的に同様の補綴物を作るために、従来技術は、ステレオリソグラフィによって作成された補綴物に、更なる表面仕上げ処理、特に、ラッカー及び着色剤の手作業による塗布を必要とすることを含む。
【００１５】
上記手作業による手順は、上記で述べた技法によって得られる補綴物の仕上げに関して既に述べた不利益と同様の不利益を伴うことが理解される。
【００１６】
本発明は、上述した、知られているタイプの歯科補綴物を生産するための技法に関連するすべての欠点を克服することを目指す。
【先行技術文献】
【特許文献】
【００１７】
【特許文献１】イタリア国特許出願第ＶＩ２０１０Ａ３５３号明細書
【発明の概要】
【発明が解決しようとする課題】
【００１８】
特に、知られている技法によって得られ得るものに比べて、天然歯の審美的外観により近い審美的外観を有する歯科補綴物を作成することが本発明の目的である。
【００１９】
更に、上述した、知られている方法の場合より柔軟な方法で歯科補綴物の生産を可能にすること、すなわち、多数の異なるグラデーションの獲得を可能にすることが本発明の目的である。
【００２０】
知られている技法によって許容される方法より単純かつ速い方法で、例えば、単一プロセスでかつ表面コーティングの必要性なしで、補綴物を生産することが本発明の更なる目的である。
【課題を解決するための手段】
【００２１】
上記目的は、特許請求項１による、歯科補綴物を製造するための方法によって達成される。
【００２２】
本発明の方法の更なる詳細な特徴は、それぞれの従属請求項において指定される。
【００２３】
有利には、本発明の方法は、処理時間及び関連するコストを低減することによって、歯科補綴物が、知られている方法の場合より迅速かつ正確に生産されることを可能にする。
【００２４】
別の利点は、本発明の方法が、本質的に、材料の廃棄を伴わず、したがって、材料のコストを制限することである。
【００２５】
更に別の利点は、本発明の方法が、摩耗を受けるツールの使用を必要とせず、機械加工精度の徐々の低下及びツールを交換するコストを回避する点にある。
【００２６】
上記目的及び利点は、以下で述べることになる他の目的及び利点と共に、添付図面を参照して単に非制限的な例として与えられる本発明の好ましい実施形態の以下の説明において強調されることになる。
【図面の簡単な説明】
【００２７】
【図１】本発明の方法のブロック図である。
【図２】ステレオリソグラフィ機械上で適用される、図１の方法のそれぞれのステップを概略的に表す図である。
【図３】ステレオリソグラフィ機械上で適用される、図１の方法のそれぞれのステップを概略的に表す図である。
【図４】ステレオリソグラフィ機械上で適用される、図１の方法のそれぞれのステップを概略的に表す図である。
【図５】本発明の方法によって得られる歯科補綴物を概略的に表す図である。
【発明を実施するための形態】
【００２８】
図１に概略的に示される本発明の歯科補綴物を生産するための方法は、図２〜図４に示すタイプのステレオリソグラフィ機械１の使用によって実施されるのが特に適する。
【００２９】
本出願において、用語「補綴物（ｐｒｏｓｔｈｅｓｉｓ）」が、例えば、インプラントに関連するインプラントクラウン等の、天然歯又はその一部分を置換することを意図される要素を示すために使用されることが以降で留意されるべきである。
【００３０】
図５は、歯科補綴物１１の簡略化された表現を提供し、歯科補綴物１１は、咀嚼に直接暴露されることを意図される切縁領域に対応する上部１４と、歯肉に面することを意図される歯頸領域に対応する頸部１５との間にある。
【００３１】
本発明の方法は、まず第１に、図５に示すように、歯科補綴物１１の層状化数値表現の規定を提供する。明確に表現するために、図は、実際に使用される層数より少ない層数を示す。実際には、本方法の実際の適用において、より多くの数の層が存在することになり、また、それらの層は、図５に示す層より薄いことになる。
【００３２】
好ましくは、上記数値表現は、オブジェクト内の層の位置と共に、作成されるそれぞれの層の形状及びおそらくは厚さを表すひとまとまりのデータを含む。
【００３３】
好ましくは、上記数値表現は、例えば、図に示されないがそれ自体で知られている口腔内カメラ又は他の同等のデバイス等の光学走査デバイスから受信されるデータを処理することによって得ることができる、歯科補綴物１１の３次元数値モデルから得られる。走査デバイスは、患者の口の中に設置されて、補綴物１１と置換される歯及び／又は隣接する歯の幾何学的形状を検出することができ、こうして得られるデータは、それ自体で知られている技法を使用して処理されて、上記３次元数値モデルを得ることができる。
【００３４】
別法として、３次元数値モデルは、患者の歯列の物理的モデルを走査することによって得られることができる。
【００３５】
３次元数値モデルは、予め決められた相互距離に配置された平行平面で、補綴物１１の特定数のセクションを生成するために処理され、そのセクションは、数値表現の層に対応する。
【００３６】
上記数値表現のそれぞれの層について、プロセスは、再生される層の幾何学的形状に対応する幾何学的形状を有する対応するシート７を得るため、参照数字６で図２〜４に示す光感受性液体物質を選択的に固化させることを含む。
【００３７】
本出願で使用される形容詞「光感受性の（ｌｉｇｈｔ  ｓｅｎｓｉｔｉｖｅ）」が、予め規定された周波数の光放射への暴露によって固化する物質の特性を指すことが以降で留意されるべきである。
【００３８】
こうして得られるシート７は、その後、上記図５に見られるように、歯科補綴物１１を得るために接着される。
【００３９】
本発明は、シート７のうちの少なくとも１つのシートが固化された後でかつ次のシート７を固化する前に、液体物質６の組成を修正することを目指す。組成は、液体物質６、したがって、結果として得られるシートの１つ又は複数の光学特性を変更するために修正される。
【００４０】
好ましくは、色は、上記光学特性の中に含まれる。光学特性は、色に加えて又は色の代わりに、透明度、反射率、及び他の光学特性を含むことができる。
【００４１】
たった今述べた方法は、その表面光学特性がシート７の平面に垂直な方向に段階的に変化する歯科補綴物１１の獲得を可能にすることが理解される。
【００４２】
更に、液体物質６の組成を変動させることによって層ごとに光学特性の変化を制御しうることから、上記方法が、上述の知られている技法によって得られ得るものより精密な方法で、表面光学特性が患者の天然歯のものと同様の歯科補綴物１１の作成を可能にし、本発明の目的の１つを達成することが理解される。
【００４３】
上記方法が、単一プロセスでかつ表面コーティングについての必要性なしで歯科補綴物１１の作成を可能にし、したがって、本発明の更なる目的を達成することが同様に理解される。
【００４４】
好ましくは、液体物質６は、予め規定された光放射への暴露によって重合するのに適し、更により好ましくは、ＵＶビームによる照射によって重合されるのに適するタイプの第１の光感受性材料を含む。好ましくは、第１の光感受性材料は、液体又はペースト状であり、上記重合はその固化をもたらす。アクリレート又はメタクリレートをベースとする材料は、歯科補綴物の生産における光感受性材料として使用するのに特に適することが証明されている。
【００４５】
好ましくは、液体物質６の組成を修正するために、第１の光感受性材料の光学特性と異なる光学特性を有する１つ又は複数の調整剤材料が添加される。明らかに、調整剤材料が第１の光感受性材料と混合されることで、混合物の光感受性材料に影響を及ぼさないように、又は、調整剤材料が、最終の歯科補綴物１１に関して無視できるぐらいの方法で混合物の光感受性材料を変化させるように、調整剤材料は第１の光感受性材料と混合可能である。
【００４６】
上記調整剤材料は、染料を含むことができ、染料は、液体物質６に添加されて、液体物質６のシェードを修正する。明らかに、天然歯の色及びシェードに出来る限り近い色及びシェードを有する補綴物１１を得るため、複数の異なる染料が、代わる代わる、又は、それらの中で組み合わされて使用されてもよい。
【００４７】
染料の代替として、又は、染料と組み合せて、１つ又は複数の更なる光感受性材料が使用され得る。ただし、更なる光感受性材料が、上記光放射への暴露によって重合するのに適し、第１の光感受性材料の色と異なる色である場合に限る。第１の光感受性材料について上記でなされた同じ留意事項が、上記更なる光感受性材料の場合に当てはまる。有利には、これらの更なる光感受性材料と第１の光感受性材料を混合することが、混合比によって影響を受けない光感受性特性を有する均一混合物が得られることを可能にする。
【００４８】
上述した材料の代替として又は上述した材料に加えて、少なくとも部分的に透明な調整剤材料、例えば、液体物質６の透過度及び／又は反射率が修正されることを可能にするガラス又は他の同様な材料が使用されることができ、結果として、液体物質６からシート７が得られる。
【００４９】
上記調整剤材料の代替として又はそれらに加えて、チタン酸化物、アルミニウム酸化物、ジルコニウム酸化物、シリコン酸化物等のような反射性材料が使用されることができる。
【００５０】
好ましくは、上記の少なくとも部分的に透明な及び／又は反射性の材料は粉末状である。
【００５１】
好ましくは、方法は、液体物質６に均一な組成を付与するために上記調整剤材料の１つ又は複数と液体物質６との混合作業を提供する。上記混合は、図２〜４に示すコンテナ２内で起こり得、コンテナ２内で、異なる成分が、それぞれのタンクに関連するそれぞれの送出ダクトによって別々に供給される。このために、コンテナ２内の適切な場所に混合デバイスを設置することができる。
【００５２】
たった今述べたものの代替として又はそれに加えて、混合は、混合物の成分の供給と同時に行われ得る。例えば、注出段階の間に直接混合されるように、混合物の異なる成分をコンテナ２へと一緒に単一の注出口へ送出するダクトを作ることにより、これを達成することができる。
【００５３】
好ましくは、それぞれの数値表現の層について、その層の上記の光学特性の対応する代表的な数値が規定される。更に、それぞれの層について、液体物質６の光学特性がその層に関連する上記数値に相当するように、液体物質６の組成が変更される。こうして、歯科補綴物１１について得るべき光学特性を前もって決定し、その後、生産段階においてそれらの光学特性を使用して、液体物質６の組成を所定の精度で制御することが可能である。
【００５４】
これらの数値の規定は、好ましくは、補綴物１１が意図される患者の基準歯の表面上で光学特性を測定する予備作業において実施される。特に、種々の層の光学特性の代表的な数値は、おおよそ上記の測定される光学特性と等しくなるように、計算される。
【００５５】
上記計算は、例えば、補綴物１１のそれぞれのシート７に対応する歯の位置で測定される光学特性を平均することによって、あるいは重み付けされて、行われ得る。
【００５６】
代替的に、上部から頸部におよぶ歯の表面ライン上で測定される光学特性に基づいて上記数値を計算することが可能である。
【００５７】
好ましくは、測定される光学特性の変化の様式に応じて、互いに異なる光学特性を有する複数のシート７が得られるように、液体物質６の組成は、補綴物１１の作成中に数回変更される。より具体的には、組成は、上記複数のシート７の各個別のシートが固化された後に変更される。
【００５８】
天然歯の一部の光学特性は、上部（切縁領域）から頸部（歯頸領域）に至るまで徐々に変化する。本発明の方法によって、この効果は、歯科補綴物１１内で再現されることができ、種々のシート７を順序通りに作成し、歯の一端に対応する端から開始し反対側の端に向かって進み、液体物質６内の調整剤材料のパーセンテージが徐々に増加するように、液体物質６に対して適した量の調整剤材料を徐々に添加する。
【００５９】
例えば、天然歯は、通常、上部においてより明るい色を有し、頸部に向かって進むにつれて徐々に暗くなる。
【００６０】
この効果を再現するために、液体物質６は、予め規定された光放射への暴露によって重合するのに適するより明るい色の第１の光感受性材料と、最後のシートより暗い色を有する１つ又は複数の調整剤材料の混合物であり得る。特に、方法は、補綴物１１の上部１４の色に対応する色を有する液体物質６を得るために、任意選択で、１つ又は複数の調整剤材料との混合物として第１の光感受性材料を使用して、補綴物１１の上部１４に対応するシート７を作成するために使用される液体物質６の調製を可能にする。後続のシート７は、後続の１つ又は複数のシートのシェードに対応するより暗いシェードを得るために、残りの液体物質６に１つ又は複数の調整剤材料を添加することによって作成されることになる。プロセスは、歯科補綴物１１の全てのシートが作成されるまで、１つ又は複数の調整剤材料を徐々に添加しながら、上記方法で継続する。
【００６１】
有利には、たった今述べたように進みながら、それぞれのシート７を固化する前に注出される混合物成分の量を最小にすることが可能であり、それにより、混合時間、したがって、加工時間を低減する。更に、注出される成分の量が低減されることで、液体物質６において均一なシェードを得るために必要とされる混合操作が制限され得る。
【００６２】
上記予め規定された光放射への暴露後に重合するのに適し、かつ、第１の光感受性材料より暗い色を有する第２の光感受性材料が調整剤材料９として使用される場合、最後のシート７の液体物質６は、同様に、大部分は又は更に完全に、第２の光感受性材料で構成されることができる。
【００６３】
上で述べた留意事項は、第１の光感受性材料と第２の光感受性材料の両方について有効である。
【００６４】
以降で述べる方法は、図２〜４に示すように、ステレオリソグラフィ技法の使用によって行われるのに特に適する。
【００６５】
知られているように、ステレオリソグラフィは、数値表現、この場合、歯科補綴物１１のそれぞれの層について光感受性液体物質６の層を配置すること、及び、光ビーム１２、好ましくは紫外線による照射によって数値表現の層に対応するエリア内の液体物質６のその層の選択的な固化をもたらして、図３に示すように、対応するシート７を得ることを可能にする。
【００６６】
光ビーム１２は、作業エリアより小さい場合がある。例えば、光ビーム１２は、液体物質６の層の制限されたエリアを固化することができるレーザビームであり得る。この場合、液体物質６の層の全てのポイントに向かってビームを漸進的に誘導する制御デバイスが存在する。制御デバイスは、配列する多数のミラーか、可動デバイスであって、その上にビーム供給源が搭載され、液体物質６の層に平行な平面上で供給源を移動させるように構成される可動デバイスか、又は同様なものを備えることができる。いずれの場合も、液体物質６の層の固化は、固化される液体物質６の層の全てのエリアに及ぶように光ビーム１２を移動させることによって漸進的な方法で行われる。
【００６７】
図２〜４に示す実施形態において、光ビーム１２は、液体物質６の層の全作業エリアを同時に固化するために、少なくとも固化エリアに等しい寸法を有する。この場合、図に示さないがそれ自体知られている選択デバイスが設けられ、選択デバイスは、固化を必要としない液体物質６の層のエリアに対応する光ビーム１２の部分を阻止するように構成される。選択デバイスは、配列する多くのマイクロミラー、マスキングデバイス、又は同様なものを備えることができる。
【００６８】
シート７は、数値表現層と同じシーケンスで作成される。特に、第１のシート７は、第１のシート７が付着する先のモデリング板１３に関連する支持表面１０と接触状態で固化される。同様に、それぞれの後続のシート７は、後続のシート７が付着する先の直前のシート７と接触状態で固化される。こうして、直前のシートに対するそれぞれのシート７の付着は、シート自身の固化と同時に起こる。
【００６９】
好ましくは、液体物質６は、図２に示すように、コンテナ２内に設置される。
【００７０】
コンテナ２は、液体物質６のレベルが、作成されるシート７の厚さに少なくとも等しいか、好ましくはそれより大きくなるように液体物質６が充填される。
【００７１】
対応するシート７を得るために固化される液体物質６の層は、コンテナ２の底部２ａと接触状態にある層又は液体物質６の自由表面に隣接する層であることができる。
【００７２】
図２〜４に示す第１の場合、コンテナ２の底部２ａは光ビーム１２に対して透明である。この場合、モデリング板１３は、図３で観測されるように、固化される最後のシート７、又はそうでなければ、モデリング板１３の支持表面１０が、透明底部２ａから作成されるシート７の厚さと等しい距離にあるように移動される。そのため、光ビーム１２は、下から放出され、透明底部２ａを通過して、第１のシートの場合、透明底部２ａと支持表面１０との間に、又は、後続のシートの場合、透明底部２ａと直前のシート７の表面との間に介在する液体物質の層に影響を及ぼし、それにより、その層を固化させる。その後、モデリング板１３は、透明底部２ａからシート７を分離するために持上げられ、サイクルは、更なるシート７のために繰返される。そのため、補綴物１１はモデリング板１３の下に形成される。図４は、複数のシート７を備える、たった今述べたプロセスによって作られた補綴物１１の一部分を示す。
【００７３】
図に示さない実施形態によれば、固化される液体物質６の層は、コンテナ２内の液体物質６の表面に隣接する。この場合、オペレーションは、光ビーム１２が上から到来し、それぞれのシート７が、直前のシート７の上でかつモデリング板１３の上で形成され、液体物質６のそれぞれの層が、モデリング板を下げて液体物質６の表面の下に作成されるシートの厚さに等しい深さで、上側表面、又はそうでなければ、直前に固化されたシートを利用可能にすることで定義されることを除いて、上記の場合に述べたオペレーションと同様である。
【００７４】
本発明の方法がたった今述べた両方の実施形態に当てはまることが理解される。
【００７５】
好ましくは、モデリング板１３の支持表面１０の最も近くに位置する、固化される第１のシート７は、補綴物１１の上部１４に対応するシートである。これは、支持表面１０との接触から生じる頸部１５上の幾何学的な不整を防止する。頸部１５上の幾何学的な不整は、インプラントに対する頸部の結合の品質を低下させる可能性がある。上記幾何学的不整は、例えば、支持表面１０からの取外しプロセスにおける補綴物１１の表面の微小クラックから、又は、補綴物１１を作成するために使用される同じステレオリソグラフィの手順の範囲内で得られるスペーサ要素が上記支持表面１０と第１のシート７の間に存在することから生じ得る。スペーサ要素は、一般に、補綴物１１の突出部をその構築中に支持するために、また、支持表面１０からの補綴物自身の取外しを容易にするために設けられる。その上部１４から開始する補綴物１１の構築は、頸部１５が補綴物１１の自由端に対応し、したがって、より高い幾何学的精度で生産され得なければならない。
【００７６】
本発明の実施形態において、補綴物１１の構築が、同様に、頸部１５に対応するシート７から開始する可能性があることが明らかである。この場合、モデリング板１３の支持表面１０から補綴物１１を取外した後に表面仕上げが使用され得る。
【００７７】
上述した本発明の方法は、ステレオリソグラフィによる歯科補綴物の作成のための一体化システムにおいて適用されるのに特に適する。
【００７８】
上記システムは、図に示さないがそれ自体知られている、歯の１つ又は複数の光学特性を検出するための光学デバイスと；図に示さないがそれ自体知られているコンピュータであって、光学デバイスによって検出されたデータを受信し、検出されたデータを歯科補綴物１１の層状化数値表現と結合させて、それぞれの光学特性を表す値をそれぞれの層に結び付ける、コンピュータと；コンピュータによって制御され、図２〜４に示されるステレオリソグラフィ機械１とを備える。
【００７９】
必要である場合、歯の光学特性の上記検出は、歯自身の幾何学的形状の取得と同時に行われることができる。この場合、上記光学デバイスは、上記で述べた走査デバイスと一致することができる。
【００８０】
ステレオリソグラフィ機械１は、液体物質６を収容する上記コンテナ２及び照射デバイス５を備え、照射デバイス５は、コンテナ２内に存在するとき、第１の光感受性材料の選択的固化をもたらすのに適する。
【００８１】
照射デバイス５は、おそらくはミラー偏向器のシステムと組合されたレーザ源を備えることができる。別の実施形態によれば、照射デバイス５は、デジタルマイクロミラーデバイス（ＤＭＤ：digital micromirror device）、選択的マスキングデバイス、又は両者と同等の任意の他のデバイスを備えることができる。
【００８２】
ステレオリソグラフィ機械１は、同様に、コンテナ２と連通状態にあり第１の光感受性材料８が保管される第１のタンク３、及び、コンテナ２と同様に連通状態にあり対応する調整剤材料９を収容する１つ又は複数の第２のタンク４を備える。
【００８３】
第１の光感受性材料８及び／又は調整剤材料９の１つ又は複数の、コンテナ２に向かう選択的かつ制御式の流出のための供給デバイスが同様に存在する。図に示さない供給デバイスは、圧送デバイス、１つ又は複数の遮断弁、及び／又は、上記選択的流出をもたらすのに適する任意のデバイスを備えることができる。
【００８４】
コンピュータは、数値表現層の任意の層についての光学特性値に基づいて供給デバイスを制御して、それぞれのシート７について必要とされる光学特性になるようにコンテナ２内の存在する液体物質６の組成を調整するように構成される。
【００８５】
図に示さない別の実施形態によれば、コンテナ２及びタンクは、単一本体で構築されて、全体としてカートリッジを規定する。カートリッジは、ステレオリソグラフィ機械１に関連するハウジングに対して取外し可能接続要素を備える。
【００８６】
有利には、上記カートリッジの使用は、システムの使用を容易にする。その理由は、カートリッジの使用が、既に試験された成分の組合せを提供して、使用される成分をユーザが常に選択しなくても済むからである。
【００８７】
明らかに、異なるタイプのカートリッジが構築されることが可能であり、それらは液体物質６を得るために混合される成分の種々の組合せの結果として異なる。
【００８８】
有利には、上記異なるタイプのカートリッジは、歯科補綴物１１について得ることができる光学特性の領域の拡張を可能にする。特に、ユーザは、それぞれの個々の患者の外観に、より厳密に似る外観を有する補綴物１１の獲得を可能にするタイプのカートリッジを選択し得る。
【００８９】
上記が与えられると、上述した方法及びシステムが全ての予め設定された目的を達成することが理解される。
【００９０】
特に、歯科補綴物のそれぞれの層の光学特性を制御する可能性は、自然な歯により近審美的外観を有する補綴物の生産を可能にする。
【００９１】
更に、上記可能性は、単に材料を異なる割合で混合することによって、使用される材料のおそらくは無限の数のグラデーションの達成を可能にする。
【００９２】
更に、補綴物は、表面コーティングについての必要性なしで、単一プロセスで、したがって、特に単純かつ迅速な方法で得られる。
【図１】
2019528805.tif 000003
【図２】
2019528805.tif 000004
【図３】
2019528805.tif 000005
【図４】
2019528805.tif 000006
【図５】
2019528805.tif 000007
【国際調査報告】
2019528805.tif 000008
2019528805.tif 000009